(57)【要約】【課題】植物の栽培にかかる費用を低減する。【解決手段】植物の栽培方法は、植物の栽培装置１を構成する容器（ガター２）の内側に培地３を敷き詰め、前記培地３に植物（トマト１０）を根付かせ、液肥４をサンゴ砂礫１３に浸し、前記サンゴ砂礫１３に浸した後の液肥４を前記培地３に給液するものである。【選択図】図１
2020152801.tif 000002
【特許請求の範囲】
【請求項１】
容器の内側に培地を敷き詰め、前記培地に植物を根付かせ、液肥を雑菌が繁殖しづらい特性の物質に浸し、前記物質に浸した後の前記液肥を前記培地に給液する植物の栽培方法。
【請求項２】
容器の内側に培地を敷き詰め、前記培地に植物を根付かせ、液肥をサンゴ砂礫に浸し、前記サンゴ砂礫に浸した後の前記液肥を前記培地に給液する植物の栽培方法。
【請求項３】
水平に置かれた帯状のガターに培地を敷き詰め、前記培地に植物を一定間隔で根付かせ、前記培地の上部に潅水チューブを配置し、サンゴ砂礫に浸して養液循環槽に蓄えられた液肥を、前記潅水チューブを介して前記培地に給液し、当該給液により余剰となった液肥を、前記ガターに内貼りされた濾過布を通して前記ガターに形成された排液溝に流し、当該排液溝に流れる液肥を前記ガターから前記養液循環槽に返送する植物の栽培方法。
【請求項４】
前記培地に設置した水分計が示す水分量の低下、もしくはタイマによる指示で、前記養液循環槽に返送された液肥を、前記潅水チューブを介して前記培地に給液することで再利用する
請求項３に記載の植物の栽培方法。
【請求項５】
水平に置かれた帯状のガターに培地を敷き詰め、前記培地に植物を一定間隔で根付かせ、前記培地の上部に潅水チューブを配置し、サンゴ砂礫に浸して養液循環槽に蓄えられた液肥を、前記潅水チューブを介して前記培地に給液し、当該給液により余剰となった液肥を、前記ガターに内貼りされた濾過布を通して前記ガターに形成された排液溝に流し、当該排液溝に流れる液肥を前記ガターの端部から前記養液循環槽に返送する植物の栽培装置であって、
前記養液循環槽と、サンゴ砂礫槽と、液肥調整槽と、第１の原料液を蓄える第１の原料液槽と、第２の原料液を蓄える第２の原料液槽と、液肥混合ポンプと、液肥移送ポンプと、潅水ポンプと、前記養液循環槽内の液肥のレベルを検出するレベルセンサとで構成された養液装置を備え、
前記サンゴ砂礫槽は、前記サンゴ砂礫が詰め込まれた状態で、前記養液循環槽と共に液肥を循環させることで、前記液肥を前記サンゴ砂礫に浸し、
前記養液装置は、前記養液循環槽内の液肥が一定量消費されたら、前記レベルセンサの指示により、前記液肥調整槽から前記液肥移送ポンプにて、前記サンゴ砂礫槽に肥液を適正量供給し、前記液肥調整槽の水位が低下したら、前記液肥調整槽に水を所定位置まで供給し、前記液肥調整槽の液肥を適正ＥＣ濃度にするため、前記液肥混合ポンプを用いて前記第１の原料液と前記第２の原料液を混合して、前記液肥調整槽に蓄えられた液肥が適正ＥＣ濃度になるまで供給する養液制御を行う植物の栽培装置。
【請求項６】
前記潅水チューブに流れる液肥の流量を検出する流量センサを更に備え、前記養液装置に設置された制御装置にて、前記養液制御を行い、前記養液循環槽から前記培地に給液される液肥の供給量を前記流量センサの検出結果に基づいて表示する
請求項５に記載の植物の栽培装置。
【請求項７】
適正ＥＣ濃度の液肥に加えてアルカリ性を有する溶液を給液する、
又は、
アルカリ性になった適正ＥＣ濃度の液肥を給液する
植物の栽培方法。
【発明の詳細な説明】
【技術分野】
【０００１】
本発明は、トマト等の植物の栽培する植物の栽培方法及び植物の栽培装置に関するものである。
【背景技術】
【０００２】
トマトの栽培方法には、温床に苗を仕立ててこれを露地に植え付ける土耕から、植物工場的な生産が可能な水耕まであり、例えば水耕として養液栽培方法が提案されている。【０００３】
この養液栽培方法として、特許文献１には、水平断面形状が略Ｄ字形に形成される溝を長手方向に２列に配列してなる栽培用トレイの前記各溝に、２５０ｍｌ前後の培地（土、ヤシガラ、ロックウール他）を入れ、トマトの苗を植付けた各培地に潅水養液を供給する技術が開示されている。【０００４】
特許文献１に記載の技術において、従来の培地（土、ヤシガラ、ロックウール他）は、比較的保水性がよいため、潅水養液を植物が必要な潅水量より１０〜２０％多めに潅水して、余剰液は雑菌が繁殖しやすいので廃液として処分するのが一般的であった。また弱酸性土壌の方が植物の生育にはよいとされているため潅水養液は弱酸性のPH調整を行っていた
【先行技術文献】
【特許文献】
【０００５】
【特許文献１】特開２００７−３０６８４９号公報
【発明の概要】
【発明が解決しようとする課題】
【０００６】
しかしながら、特許文献１に記載の技術では、潅水養液の余剰液は雑菌が繁殖しやすいので廃液として処分することになり、植物の栽培にかかる費用を低減することが困難であった。【０００７】
本発明は、植物の栽培にかかる費用を低減することができる植物の栽培方法及び植物の栽培装置を提供することである。
【課題を解決するための手段】
【０００８】
本発明の第１の観点における植物の栽培方法は、容器の内側に培地を敷き詰め、前記培地に植物を根付かせ、液肥を雑菌が繁殖しづらい特性の物質に浸し、前記物質に浸した後の前記液肥を前記培地に給液するものである。
好適には、請求項１に記載の植物の栽培方法は、植物としてトマトを用いる。【０００９】
請求項２に記載の発明の植物の栽培方法は、容器の内側に培地を敷き詰め、前記培地に植物を根付かせ、液肥を雑菌が繁殖しづらい特性の物質に浸し、前記物質に浸した後の前記液肥を前記培地に給液するものである。【００１０】
請求項３に記載の発明の植物の栽培方法は、水平に置かれた帯状のガターに培地を敷き詰め、前記培地に植物を一定間隔で根付かせ、前記培地の上部に潅水チューブを配置し、サンゴ砂礫に浸して養液循環槽に蓄えられた液肥を、前記潅水チューブを介して前記培地に給液し、当該給液により余剰となった液肥を、前記ガターに内貼りされた濾過布を通して前記ガターに形成された排液溝に流し、当該排液溝に流れる液肥を前記ガターから前記養液循環槽に返送するものである。【００１１】
請求項４に記載の発明の植物の栽培方法は、請求項３に記載の植物の栽培方法において、前記培地に設置した水分計が示す水分量の低下、もしくはタイマによる指示で、前記養液循環槽に返送された液肥を、前記潅水チューブを介して前記培地に給液することで再利用するものである。【００１２】
請求項５に記載の発明の植物の栽培装置は、水平に置かれた帯状のガターに培地を敷き詰め、前記培地に植物を一定間隔で根付かせ、前記培地の上部に潅水チューブを配置し、サンゴ砂礫に浸して養液循環槽に蓄えられた液肥を、前記潅水チューブを介して前記培地に給液し、当該給液により余剰となった液肥を、前記ガターに内貼りされた濾過布を通して前記ガターに形成された排液溝に流し、当該排液溝に流れる液肥を前記ガターの端部から前記養液循環槽に返送する植物の栽培装置であって、前記養液循環槽と、サンゴ砂礫槽と、液肥調整槽と、第１の原料液を蓄える第１の原料液槽と、第２の原料液を蓄える第２の原料液槽と、液肥混合ポンプと、液肥移送ポンプと、潅水ポンプと、前記養液循環槽内の液肥のレベルを検出するレベルセンサとで構成された養液装置を備え、前記サンゴ砂礫槽は、前記サンゴ砂礫が詰め込まれた状態で、前記養液循環槽と共に液肥を循環させることで、前記液肥を前記サンゴ砂礫に浸し、前記養液装置は、前記養液循環槽内の液肥が一定量消費されたら、前記レベルセンサの指示により、前記液肥調整槽から前記液肥移送ポンプにて、前記サンゴ砂礫槽に肥液を適正量供給し、前記液肥調整槽の水位が低下したら、前記液肥調整槽に水を所定位置まで供給し、前記液肥調整槽の液肥を適正ＥＣ濃度にするため、前記液肥混合ポンプを用いて前記第１の原料液と前記第２の原料液を混合して、前記液肥調整槽に蓄えられた液肥が適正ＥＣ濃度になるまで供給する養液制御を行うものである。【００１３】
請求項６に記載の発明の植物の栽培装置は、請求項５に記載の植物の栽培装置において、前記潅水チューブに流れる液肥の流量を検出する流量センサを更に備え、前記養液装置に設置された制御装置にて、前記養液制御を行い、前記養液循環槽から前記培地に給液される液肥の供給量を前記流量センサの検出結果に基づいて表示するものである。
【発明の効果】
【００１４】
本発明における植物の栽培方法及び植物の栽培装置によって植物の栽培にかかる費用を低減することが可能となった。
【図面の簡単な説明】
【００１５】
【図１】本発明の第１の実施形態に係る植物の栽培方法の概要を示す説明図である。
【図２】本発明の第１の実施形態に係る植物の栽培方法に用いられるガター及び濾過布を示す斜視図である。
【図３】本発明の第２の実施形態に係る植物の栽培装置を用いた施設全体を示す説明図である。
【図４】本発明の第２の実施形態に係る植物の栽培装置のブロック図である。
【図５】本発明の第２の実施形態に係る植物の栽培装置の栽培ベッド及び設置台を示す第１の断面図である。
【図６】本発明の第２の実施形態に係る植物の栽培装置の栽培ベッド及び設置台を示す第２の断面図である。
【図４】本発明の第３の実施形態に係る植物の栽培装置のブロック図である。
【発明を実施するための形態】
【００１６】
［第１の実施形態］
以下、図１及び図２を用いて本発明の第１の実施形態について説明する。
【００１７】
＜第１の実施形態の構成＞
図１及び図２は本発明の第２の実施形態に係り、図１は、植物の栽培方法の概要を示す説明図、図２は、ガター及び濾過布を示す斜視図である。
【００１８】
図１において、本発明の第１の実施形態に係る植物の栽培方法は、植物の栽培装置１を構成する容器（ガター２）の内側に培地３を敷き詰め、前記培地３に植物（トマト１０）を根付かせ、液肥４をサンゴ砂礫１３に浸し、前記サンゴ砂礫１３に浸した後の液肥４を前記培地３に給液するものである。
【００１９】
さらに詳しく説明すると、図１に示す植物の栽培方法は、水平に置かれた帯状のガター２にロックウール等で形成された培地３を敷き詰め、培地３にトマト１０を一定間隔で根付かせ、培地３の上部に潅水チューブ５を配置し、サンゴ砂礫１３に浸して養液循環槽６に蓄えられた液肥４を、潅水チューブ５を介して培地３に給液し、当該給液により余剰となった液肥４を、ガター２に内貼りされた濾過布７を通して前記ガター２に形成された排液溝８に流し、当該排液溝８に流れる液肥４を前記ガター２の端部から排液パイプ９を介して排液する。
【００２０】
以下、植物の栽培装置１について詳細に説明する。
植物の栽培装置１は、ガター２、培地３、液肥４、潅水チューブ５、養液循環槽６、濾過布７、排液パイプ９、液肥調整槽１１、サンゴ砂礫槽１２、サンゴ砂礫１３、液路１４、前記液肥移送ポンプ１５、１６、潅水ポンプ１７、タイマ１８、１９、２０、及びパイプ２１、２２を備えている。
【００２１】
液肥調整槽１１は、Ａ液槽からのＡ液（第１の原料液）と、Ｂ液槽（第２の原料液槽）からのＢ液とが注入され、混合された液肥４ａを蓄えるようになっている。
【００２２】
サンゴ砂礫槽１２の槽内には、サンゴ砂礫１３が底から八割程度の高さまで詰め込まれている。
【００２３】
液肥移送ポンプ１５は、タイマ１８による指示で、液肥調整槽１１に蓄えられた液肥４ａを、パイプ２１を介してサンゴ砂礫槽１２に移送する。
【００２４】
養液循環槽６は、液路１４を介してサンゴ砂礫槽１２と液体の流通が可能になっており、サンゴ砂礫槽１２からの溶液４ｂが流入するようになっている。また、液路１４にはフィルタが設けられているので、サンゴ砂礫槽１２のサンゴ砂礫１３が養液循環槽６に移動することはない。
【００２５】
液肥移送ポンプ１６は、タイマ１９による指示で、養液循環槽６に蓄えられた液肥４を、パイプ２２を介してサンゴ砂礫槽１２に循環させる。
【００２６】
潅水ポンプ１７は、タイマ２０による指示で、養液循環槽６に蓄えられた液肥４（液路１４から養液循環槽６に返送された液肥４ｂを含む）を、前記潅水チューブ５を介して前記培地３に給液する。
【００２７】
また、前記培地３及び潅水チューブ５の上側は、トマト１０の茎を通過する孔が形成された遮光シート（図５の遮光シート７６）によって覆われている。
【００２８】
以下、図２を用いて、ガター２と濾過布７を詳細に説明する。
図２において、ガター２は、発泡スチロールを金型によって上面が開放した帯状の容器の形状に形成したものである。
【００２９】
ガター２に内貼りされた濾過布７は、下から順に、水耕用黒ポリプラスチックシート２３、不織布２４、プラスチックネット２５及び不織布２６を重ね合わせたものである。水耕用黒ポリプラスチックシート２３、不織布２４及び不織布２６は、ガター２の上側全体を覆うように形成されている。プラスチックネット２５は、ガター２の内側底面と同じサイズに形成されている。
【００３０】
本発明に係る第１の実施形態を纏めて説明すると、植物の栽培方法は、容器（ガター２）の内側に培地３を敷き詰め、前記培地に植物（トマト１０）を根付かせ、液肥を雑菌が繁殖しづらい特性の物質（サンゴ砂礫１３）に浸し、前記物質に浸した後の前記液肥４を前記培地３に給液する。
【００３１】
＜第１の実施形態の作用及び効果＞
ここで、従来の培地として一般的に用いられるロックウールと液肥の組み合わせでは、毎年培地の交換が必要になり、産業廃棄物として費用を要します。
【００３２】
近年の培地として普及してきたヤシガラ培地と液肥の組み合わせでは、ヤシガラ培地が有機質で雑菌が繁殖により経年変化を生じるため、１〜２年で培地の交換が必要になります。
【００３３】
従来の高糖度トマト栽培では、液肥（水）を極力少なくして、果実が吸収する水分を少なくして糖度を上げるため、果実の生産量が少なくなります。
【００３４】
本発明の第１の実施形態で用いられるサンゴ砂礫１３では、経年変化しないアルカリ性で雑菌が繁殖しづらい特性を有しているので、交換の必要がありません。
【００３５】
また、サンゴ砂礫１３に浸した後の液肥４では、雑菌が繁殖しづらい特性により、高糖度トマト栽培において、培地の使用年限を延長することができます。また、サンゴ砂礫１３に浸した後の液肥４では、極端な潅水制限を行う必要がないため、生産性を向上することができます。
【００３６】
また、第１の実施形態に係る植物の栽培方法では、液肥４は循環させていないので、雑菌の繁殖は抑えることが可能である。
もっとも、循環させることを排除する趣旨でなく、循環させることも可能である。
そのばあいであっても、雑菌が繁殖しづらい特性により、排液用の殺菌を行う設備を必要としません。
【００３７】
また、本発明の第１の実施形態で用いられるサンゴ砂礫１３に浸した後の液肥４では、カルシウムやマグネシウム等の多種類（７０種類）の必須ミネラルを豊富に含有しているため、生育時に微量要素としてトマトに吸収されて、非常に糖度が高いトマト（糖度８〜１２度）が生産されるため、市場でニーズの高い高糖度トマトを高能率で生産できます。
【００３８】
また、培地としてロックウール等の従来のものを使用しながら、上述の効果が得られます。
【００３９】
また、使用するサンゴ砂礫１３もサンゴ砂礫槽１２に詰め込む分だけでよいので、サンゴ砂礫の使用によるコストの増大を十分抑制できます。
【００４０】
従って、本発明の第１の実施形態に係る植物の栽培方法によれば、植物（トマト）の栽培にかかる費用を低減することが可能になります。
【００４１】
［第２の実施形態］
以下、図３乃至図６を用いて本発明の第２の実施形態について説明する。
【００４２】
＜第２の実施形態の構成＞
図３乃至図６は本発明の第２の実施形態に係り、図３は植物の栽培装置を用いた施設全体を示す説明図、図４は植物の栽培装置のブロック図、図５は植物の栽培装置のタガー及び周辺部を示す第１の断面図、図６は植物の栽培装置のタガー及び周辺部を示す第２の断面図である。
【００４３】
図３において、トマトの栽培施設（プラント）３０では、三列に並べられた第１乃至第３の栽培棟３１、３２、３３を有している。
【００４４】
第１の栽培棟３１は、一つの植物の栽培装置３４から構成されている。植物の栽培装置３４は、一つの養液装置４１と、図１に示した複数のガター２、潅水チューブ５、濾過布７及び排液パイプ９と、複数種類の培地３ａ、３ｂ、３ｃ、３ｄ（図４参照）から構成されている。
なお、この例では、多様性のある例を記載しているが、複数種類ではなく、１種類の培地を複数用いることが普通である。
【００４５】
図３において、第２の栽培棟３２は、一つの植物の栽培装置３５と、集出荷室３６とから構成されている。植物の栽培装置３５は、一つの養液装置４１と、図１に示した複数のガター２、潅水チューブ５、濾過布７及び排液パイプ９と、複数種類の培地３ａ、３ｂ、３ｃ、３ｄ（図４参照）から構成されている。
【００４６】
図３において、第３の栽培棟３３は、一つの植物の栽培装置３７から構成されている。植物の栽培装置３７は、図１に示した複数のガター２、潅水チューブ５、濾過布７及び排液パイプ９と、複数種類の培地３ａ、３ｂ、３ｃ、３ｄ（図４参照）から構成されている。
【００４７】
図３において、植物の栽培装置３４、３５、３７は、水平に置かれた帯状のガター２に培地（図４に示す培地３ａまたは培地３ｂまたは培地３ｃまたは培地３ｄ）を敷き詰め、前記培地に植物を一定間隔で根付かせ、前記培地の上部に潅水チューブ５（図４参照）を配置し、養液循環槽５１（図４参照）に蓄えられた液肥４（図４参照）を、前記潅水チューブ５を介して前記培地に給液し、当該給液により余剰となった液肥４を、前記ガター２に内貼りされた濾過布７（図５参照）を通して前記ガター２に形成された排液溝８（図５参照）に流し、当該排液溝８に流れる液肥４を前記ガター２の端部から排液パイプを介して排液する。
【００４８】
以下、植物の栽培装置３４について詳細に説明する。
図４において、植物の栽培装置３４の栽培ベッド４２、４３、４４、４５は、図1に示したガター２及び濾過布７を組み合わせたものである。
【００４９】
栽培ベッド４２には、栽培する植物（トマト１０ａ）の品種に合わせて、ロックウールによる培地３ａが敷き詰められている。栽培ベッド４３には、栽培する植物（トマト１０ｂ）の品種に合わせて、ヤシガラによる培地３ｂが敷き詰められている。栽培ベッド４４には、栽培する植物（トマト１０ｃ）の品種に合わせて、無機物の砂、礫による培地３ｃが敷き詰められている。栽培ベッド４５には、栽培する植物（トマト１０ｄ）の品種に合わせて、ロックウール、ヤシガラ等の混合による培地３ｄが敷き詰められている。
【００５０】
図４において、養液装置４１は、養液循環槽５１と、Ａ液（第１の原料液）を蓄えるＡ液槽（第１の原料液槽）５２と、Ｂ液（第２の原料液）を蓄えるＢ液槽（第２の原料液槽）５３と、液肥調整槽５４と、サンゴ砂礫槽５５と、液肥混合ポンプ５６と、液肥移送ポンプ５７、５８と、潅水ポンプ５９と、制御バルブ６０と、液肥調整槽５４内の液肥４のレベルを検出するレベルセンサ６１と、ＥＣセンサ（肥料濃度センサ）６２と、養液循環槽５１内の液肥４のレベルを検出するレベルセンサ６３と、前記潅水チューブ５に流れる液肥４の流量を検出する流量センサ６４、６５、６６、６７と、前記流量センサ６４、６５、６６、６７の検出結果をそれぞれ表示する表示装置６８、６９、７０、７１と、制御盤１００とで構成されている。
【００５１】
ここで、第２の実施形態が第１の実施形態と異なるのは、図４に示すように、液肥調整槽５４にＥＣセンサ６２を設けて、液肥調整槽５４の液肥４ａを適正ＥＣ濃度にするように液肥混合ポンプ５６の制御を行い、液肥調整槽５４内の液肥４ａのレベルを検出するレベルセンサ６１を設け、液肥移送ポンプ５７の制御を行うとともに、養液循環槽５１内の液肥４のレベルを検出するレベルセンサ６３を設け、潅水ポンプ５９の制御を行うようにしたことである。
【００５２】
サンゴ砂礫槽５５の槽内には、サンゴ砂礫１３が底から九割程度の高さまで詰め込まれている。
【００５３】
養液循環槽５１は、液路６４を介してサンゴ砂礫槽５５と液体の流通が可能になっており、サンゴ砂礫槽５５からの溶液４ｂが流入するようになっている。また、液路６４にはフィルタが設けられているので、サンゴ砂礫槽５５のサンゴ砂礫１３が養液循環槽５１に移動することはない。
【００５４】
養液装置４１は、前記養液循環槽５１内の液肥４が一定量消費されたら、前記レベルセンサ６３の指示と制御盤１００の制御により、前記液肥調整槽５４から前記液肥移送ポンプ５７にて、サンゴ砂礫槽５５に肥液４ａを適正量供給する。サンゴ砂礫槽５５に供給された肥液４ａは、サンゴ砂礫１３に浸され、肥液４ｂとして液路６４を介して養液循環槽５１に流入する。これにより、前記養液循環槽５１内の液肥４が適切な量に保たれる。
【００５５】
また、前記養液装置４１の制御盤１００は、前記液肥調整槽５４の水位が低下したら、前記レベルセンサ６１の指示と制御盤１００による制御バルブ６０の制御により、前記液肥調整槽５４に清水を所定位置まで供給し、前記液肥調整槽５４の液肥４を適正ＥＣ濃度にするため、前記ＥＣセンサ６２の指示と制御盤１００の制御により、前記液肥混合ポンプ５６を用いて前記Ａ液（第１の原料液）と前記Ｂ液（第２の原料液）を混合して、前記液肥調整槽５４に蓄えられた液肥４ａが適正ＥＣ濃度になるまで供給する。
【００５６】
液肥移送ポンプ５８は、制御盤１００による指示で、養液循環槽５１に蓄えられた液肥４を、所定時間毎にパイプを介してサンゴ砂礫槽５５に循環させる。
【００５７】
潅水ポンプ５９は、制御盤１００による指示で、養液循環槽５１の液肥４を、潅水チューブ５を介して栽培ベッド４２、４３、４４、４５の前記培地３ａ、３ｂ、３ｃ、３ｄに給液する。
【００５８】
植物の栽培装置３４は、前記養液装置４１に設置された制御装置（制御盤１００）にて、前記養液制御を行い、前記養液循環槽５１から前記培地３ａ、３ｂ、３ｃ、３ｄに給液される液肥４の供給量をそれぞれ前記流量センサ６４、６５、６６、６７の検出結果に基づいて、それぞれ表示装置６８、６９、７０、７１に表示する。
【００５９】
図５に示すように、植物の栽培装置３４の栽培ベッド４２は、設置台８０に載置されている。
設置台８０は、板状の天板８１と、天板８１を支える複数の脚部８２、８３から構成されている。
【００６０】
脚部８２、８３は伸縮可能になっている。図５に示す脚部８２、８３を最も短くした状態（下限ベット高）では、天板８１、複数の脚部８２、８３及び地面８４で囲まれる領域Ｓの高さ及び横幅が温風ダクト９０の直径より少し長い状態になり、天板８１及び栽培ベッド４２が最も低い状態になる。
【００６１】
図６に示すように、脚部８２、８３を最も長くした状態（上限ベット高）では、天板８１、脚部８２、８３及び地面で囲まれる領域Ｓの横幅が温風ダクト９０の直径より少し長い状態を保ち、領域Ｓの高さが温風ダクト９０の直径の約１．５倍となり、領域Ｓの横幅が温風ダクト９０の直径より少し長い状態を保ち、天板８１及び栽培ベッド４２が最も高い状態になる。
【００６２】
このような領域Ｓの調整を行うことで、栽培ベッド４２の温度の最適化を図ることができる。
【００６３】
ここで、図４に示す栽培ベッド４３、４４、４５は、前記培地の種類が異なるだけで、栽培ベッド４２と同じ構造になっている。
【００６４】
第２の栽培棟３２の栽培装置３５は、全体のサイズが第１の栽培棟３１の栽培装置３４と異なるだけで、残り構成は栽培装置３４と同様になっている。
第３の栽培棟３３の栽培装置３７は、栽培棟３１の栽培装置３４と同様になっている。
【００６５】
＜第２の実施形態の作用及び効果＞
本発明の第２の実施形態に係る植物の栽培装置３４、３５、３７によれば、サンゴ砂礫１３に浸した後の液肥４を前記培地３ａ、３ｂ、３ｃ、３ｄに給液することで、第１の実施形態と同様の効果が得られ、植物（トマト）の栽培にかかる費用を低減することが可能になります。
【００６６】
［第３の実施形態］
以下、図７を用いて本発明の第３の実施形態について説明する。
【００６７】
＜第３の実施形態の構成＞
図７は本発明の第３の実施形態に係る植物の栽培装置のブロック図である。
【００６８】
第３の実施形態の植物の栽培装置１３４は、水平に置かれた帯状のガター４６の排液溝８（図１参照）に流れる液肥４を前記ガター４６の端部から溶液装置１４１の養液循環槽５１に返送する。栽培装置１３４の培地３ｃには、無機物の砂、礫のみを用いている。
【００６９】
また、栽培装置１３４は、前記培地３ｃに設置した水分計７２が示す水分量の低下、もしくはタイマによる指示で、前記養液循環槽５１に返送された液肥４を、潅水チューブ５を介して培地３ｃに給液することで再利用する。これら以外の構成は、第２の実施形態と同様になっている。
【００７０】
このような構成を纏めて説明すると、第３の実施形態の植物の栽培方法は、水平に置かれた帯状のガター４６に培地３ｃを敷き詰め、前記培地３ｃに植物を一定間隔で根付かせ、前記培地３ｃの上部に潅水チューブ５を配置し、前記サンゴ砂礫１３に浸して養液循環槽５１に蓄えられた液肥を、潅水チューブ５を介して前記培地３ｃに給液し、当該給液により余剰となった液肥を、前記ガター４６に内貼りされた濾過布７（図２参照）を通して前記ガター４６に形成された排液溝８（図２参照）に流し、当該排液溝８に流れる液肥４を前記ガター４６の端部から前記養液循環槽５１に返送する。
【００７１】
＜第３の実施形態の作用及び効果＞
本発明の第３の実施形態に係る植物の栽培装置１３４によれば、第２の実施形態と同様の効果が得られるとともに、ガター４６の排液溝８に流れる液肥４を養液循環槽５１に返送することで、液肥４のリサイクルが可能になり、清水、Ａ液、Ｂ液の使用量を抑制することが可能になり、植物の栽培コストを低減することが可能になる。
【００７２】
本発明の、構造、システム、プログラム、材料、各部材の連結、科学物質、などは、本発明の要旨を変更しない範囲で、様々に変更可能である。
【００７３】
材質も、金属、プラスチック、ＦＲＰ、木材、コンクリート等を自由に選択することが可能である。
【００７４】
例えば、２つ以上の部材を１つにすることも可能であるし、逆に、１つの部材を２つ以上の別の部材から構成して接続することも可能である。
【００７５】
また、上記第１乃至第３の実施形態は、あくまでも、現在のところの最良またはそれに近い形態の３つにすぎない。
【００７６】
また、制御などは、より上位の制御部分によって制御されても良いし、より末端の制御部分によって制御されても良い。
【００７７】
また、制御の順序なども、所定の効果を有するのであれば、適宜変更可能である。
また、第１乃至第３の実施形態では、液肥４を雑菌が繁殖しづらい特性にするために浸す物質として、サンゴ砂礫を用いたが、このような液肥を浸す物質としては、ホタテ貝の貝殻を砕いたもの、カキの貝殻を砕いたもの、石灰岩を砕いた礫等、各種適用可能でする。
さらに、人工的に作った、少なくともアルカリ性を有し、より好ましくはミネラルの豊富な溶液であってもよい。このような人工的に作ったものであっても同様の効果を発揮できると思われるからである。
本発明のアルカリ性は、現在のところＰＨ８〜９程度が適切である。また、ミネラル成分はあった方が好適であるが、必須ではないと考えている。
【００７８】
培地は、さらに場合によっては以下のようなバージョンも可能である。
例えば、主としてサンゴが用いられている培地にすることもあり得る。主としてとは、本発明においては、他の構成成分において、もっとも多い割合であれば足りる。もっとも、サンゴが多い方が好適ではあると現在のところ考えている。
他の成分としては、砂、軽石、れき等があり得る。
この他の成分は、アルカリ性質のものがより好適である。
その他の成分としては、貝殻（ホタテ等）であってもよい。場合によっては、貝殻のみであってもよい。さらにいうと、液肥４を化学的にアルカリ性にすることも可能であると考えている。
同様に、サンゴ砂礫層５５も、主としてサンゴが用いられていればよい。主としてとは、本発明においては、他の構成成分において、もっとも多い割合であれば足りる。もっとも、サンゴが多い方が好適ではあると現在のところ考えている。
他の成分としては、砂、軽石、れき等があり得る。
この他の成分は、アルカリ性質のものがより好適である。
その他の成分としては、貝殻（ホタテ等）であってもよい。場合によっては、貝殻のみであってもよい。さらにいうと、液肥４を化学的にアルカリ性にすることも可能であると考えている。
【００７９】
ガター２を流れる液肥４はガター２の端部から抜く実施形態を記載していたが、途中から順次排出する排出口を設けて排出することも可能である。その場合、傾斜をつけない、傾斜が緩くてもいいという利点がある。特に、ガター２が長くなる場合には、効果的である。
また、潅水ポンプ５９の流量を観測して、どの程度使用量があるか計測すると好適である。
同様に、液肥移送ポンプ５７、５８の流量を観測すると好適である。
【００８０】
＜定義等＞
本発明における栽培する植物としては、トマト以外にも、マンゴー、バナナ、メロン、パプリカ、ナス、キュウリ、イチゴ等、各種の野菜・果物に適用可能である。また、トマトの品種として、ミニトマト以外にも、フルーツルビー、シシリアンルージュ、桃太郎等に適用可能である。また、野菜、果物以外にも、穀物等の糖度が高い方がよい植物に適用可能である。
【符号の説明】
【００８１】
１…植物の栽培装置
２…ガター
３…培地
４…液肥
５…潅水チューブ
６…養液循環槽
７…濾過布
１０…トマト
１３…サンゴ砂礫
５５…サンゴ砂礫槽
【図１】
2020152801.tif 000003
【図２】
2020152801.tif 000004
【図３】
2020152801.tif 000005
【図４】
2020152801.tif 000006
【図５】
2020152801.tif 000007
【図６】
2020152801.tif 000008
【図７】
2020152801.tif 000009
【国際調査報告】
2020152801.tif 000010
2020152801.tif 000011
2020152801.tif 000012
2020152801.tif 000013